(57)【要約】【課題】把持し易く、全体の強度、剛性が高く、耐久性に優れ、収納物を確実に保護でき、確実に施蓋でき、外観上の体裁に優れ、構成簡素で、組立て容易で、取扱い易く、収納し易く、量産に適し、製造コストを低減できる把持部付組立包装箱を提供する。【解決手段】本体構成部Ａの左右側板３、４に、左右側基片部２５、３１と折返片部２６、３２を形成し、蓋構成部Ｂの前後蓋板１０、１１に、前後蓋基片部２０、２２と折込片部２１、２３を形成し、蓋構成部Ｂの左右蓋板１２、１３に、左右蓋基片部２７、３３と折返片部２８、３４と折込片部２９、３５を形成し、折返片部２６、３２の折返しで、左右側基片部２５、３１を、正面板１と背面板２の左右側端縁を結ぶ面より箱の中心がわに寄った位置に配し、折返片部２８、３４の折返しで、左右蓋基片部２７、３３を、前後蓋板１０、１１の左右側端縁を結ぶ面より箱の中心がわに寄った位置に配する。【選択図】図１
2005119686.tif 000002
【特許請求の範囲】
【請求項１】
一枚のシート材から組立てられる把持部付組立包装箱であって、正面板、背面板、左右側板、底板を備えた上部が開放された本体構成部と、この本体構成部の周壁上端部分に折目線を介して夫々連設される前蓋板、後蓋板、左右蓋板を備えると共に、本体構成部の上部開放部分を施蓋する蓋構成部と、蓋構成部に折目線を介して連設される把持部とからなり、本体構成部の右側板及び左側板には、その中央部分に配される右側基片部及び左側基片部と、この右側基片部及び左側基片部の左右側部に折目線を介して配される折返片部とが形成され、蓋構成部の前蓋板及び後蓋板には、その中央部分に配される前蓋基片部及び後蓋基片部と、この前蓋基片部及び後蓋基片部の左右側部に折目線を介して配される折込片部とが形成され、蓋構成部の右蓋板及び左蓋板には、その中央部分に配される右蓋基片部及び左蓋基片部と、この右蓋基片部及び左蓋基片部の左右側部に折目線を介して配される折返片部と、この折返片部の左右側部に折目線を介して連設されると共に、前記前蓋基片部の折込片部及び後蓋基片部の折込片部に折目線を介して連設される折込片部とが形成され、本体構成部の右側板及び左側板は、その折返片部が正面板や背面板の内表面に接近するように折返されることで、その右側基片部及び左側基片部が、正面板と背面板の左右側端縁を直線的に結ぶような面より箱の中心がわに寄った位置に配されるよう構成し、蓋構成部の右蓋板及び左蓋板は、その折返片部が前蓋板や後蓋板の内表面に接近するように折返されることで、その右蓋基片部及び左蓋基片部が、前蓋板と後蓋板の左右側端縁を直線的に結ぶような面より箱の中心がわに寄った位置に配されるよう構成したことを特徴とする把持部付組立包装箱。
【請求項２】
蓋構成部には、後蓋板の後蓋基片部或いは前蓋板の前蓋基片部の先端縁に折目線を介して連設される差込片と、前蓋板の前蓋基片部或いは後蓋板の後蓋基片部の先端縁に折目線を介して連設される係止片とを設け、前記差込片は、前蓋板とこの前蓋板の内表面に接近するように折返される折込片部の間に、或いは後蓋板とこの後蓋板の内表面に接近するように折返される折込片部の間に、差込み可能となるように形成され、前記係止片は、その係止突片が、後蓋基片部或いは前蓋基片部に穿設した差込孔に差込係止自在となるよう形成されて、差込片の差込み状態を維持できるよう構成したことを特徴とする請求項１記載の把持部付組立包装箱。
【請求項３】
把持部は、蓋構成部の前蓋板或いは後蓋板に折目線を介して連設される把持片と、この把持片に折目線を介して連設される補強把持片とからなり、把持片の裏面に補強把持片を接着したことを特徴とする請求項１または請求項２記載の把持部付組立包装箱。
【発明の詳細な説明】
【技術分野】
【０００１】
本発明は、主に、一枚の適宜シート材から比較的簡単に組立てられ、全体の強度、剛性が高く、耐久性に優れ、把持し易く、収納物を確実に保護でき、外観上の体裁が優れた把持部付組立包装箱に関するものである。
【背景技術】
【０００２】
従来、この種の把持部付組立包装箱としては種々のものが提案されており、例えば、特許文献１に示すような把手付紙箱がある。
そして、この把手付紙箱は、四側面を構成する側板と底面を構成する底板を有し、対向する２つの側板上縁には蓋上面部片とさらに該蓋上面部片に連設して把手片が折曲自在に設けられ、この把手片の各両端部上縁には係止片が形成され、一方他の２つの側板上縁には握り部支持片が夫々折曲自在に設けられ、該握り部支持片を内側に折り曲げていって握り部支持片に設けられた適宜の穴の頂上部を、前記係止片によって把手片の上縁両端近傍に形成される切欠部に係止させる構造の把手付の紙箱において、前記穴を垂直方向の切り込み形状とし、さらに前記係止片の上縁を、握り部支持片を内側に折り曲げていく際に当該切り込みの頂上部がたどる回動軌跡曲線に成形したものである。
【０００３】
【特許文献１】実開平６−３８１４号公報
【発明の開示】
【発明が解決しようとする課題】
【０００４】
ところが、前述のような把手付紙箱にあっては、その全体の強度や剛性が十分あるとはいい難く、かなりの外力が加えられた場合は、一部が潰れたり、変形したりする虞れがあった。ひいては、箱内の収納物を確実に保護できない場合もあった。また、外観上の体裁が優れたものとはいい難く、しかも、特別に耐久性が優れたものとなるような工夫を備えたものでもない等の難点があった。
【課題を解決するための手段】
【０００５】
そこで、本発明は、前述の如き難点等を解消できるようにするのは勿論のこと、全体の強度、剛性が高く、耐久性に優れ、収納物を確実に保護でき、外観上の体裁が良く、取扱い易く、収納物を収納し易く、構成が簡素で、組立てが容易となり、量産に適し、製造コストを低減でき、箱詰めが効率良く行えるような把持部付組立包装箱を提供すべく創出されたものである。
【０００６】
そして、請求項１記載の把持部付組立包装箱にあっては、一枚のシート材から組立てられる把持部付組立包装箱であって、正面板１、背面板２、左右側板３、４、底板を備えた上部が開放された本体構成部Ａと、この本体構成部Ａの周壁上端部分に折目線を介して夫々連設される前蓋板１０、後蓋板１１、左右蓋板１２、１３を備えると共に、本体構成部Ａの上部開放部分を施蓋する蓋構成部Ｂと、蓋構成部Ｂに折目線を介して連設される把持部Ｃとからなり、本体構成部Ａの右側板３及び左側板４には、その中央部分に配される右側基片部２５及び左側基片部３１と、この右側基片部２５及び左側基片部３１の左右側部に折目線を介して配される折返片部２６、３２とが形成され、蓋構成部Ｂの前蓋板１０及び後蓋板１１には、その中央部分に配される前蓋基片部２０及び後蓋基片部２２と、この前蓋基片部２０及び後蓋基片部２２の左右側部に折目線を介して配される折込片部２１、２３とが形成され、蓋構成部Ｂの右蓋板１２及び左蓋板１３には、その中央部分に配される右蓋基片部２７及び左蓋基片部３３と、この右蓋基片部２７及び左蓋基片部３３の左右側部に折目線を介して配される折返片部２８、３４と、この折返片部２８、３４の左右側部に折目線を介して連設されると共に、前記前蓋基片部２０の折込片部２１及び後蓋基片部２２の折込片部２３に折目線を介して連設される折込片部２９、３５とが形成され、本体構成部Ａの右側板３及び左側板４は、その折返片部２６、３２が正面板１や背面板２の内表面に接近するように折返されることで、その右側基片部２５及び左側基片部３１が、正面板１と背面板２の左右側端縁を直線的に結ぶような面より箱の中心がわに寄った位置に配されるよう構成し、蓋構成部Ｂの右蓋板１２及び左蓋板１３は、その折返片部２８、３４が前蓋板１０や後蓋板１１の内表面に接近するように折返されることで、その右蓋基片部２７及び左蓋基片部３３が、前蓋板１０と後蓋板１１の左右側端縁を直線的に結ぶような面より箱の中心がわに寄った位置に配されるよう構成する手段を採用した。
【０００７】
また、請求項２記載の把持部付組立包装箱にあっては、蓋構成部Ｂには、後蓋板１１の後蓋基片部２２或いは前蓋板１０の前蓋基片部２０の先端縁に折目線を介して連設される差込片１７と、前蓋板１０の前蓋基片部２０或いは後蓋板１１の後蓋基片部２２の先端縁に折目線を介して連設される係止片１６とを設け、前記差込片１７は、前蓋板１０とこの前蓋板１０の内表面に接近するように折返される折込片部２１の間に、或いは後蓋板１１とこの後蓋板１１の内表面に接近するように折返される折込片部２３の間に、差込み可能となるように形成され、前記係止片１６は、その係止突片３６が、後蓋基片部２２或いは前蓋基片部２０に穿設した差込孔３７に差込係止自在となるよう形成されて、差込片１７の差込み状態を維持できるよう構成する手段を採用した。
【０００８】
更に、請求項３記載の把持部付組立包装箱にあっては、把持部Ｃは、蓋構成部Ｂの前蓋板１０或いは後蓋板１１に折目線を介して連設される把持片１４と、この把持片１４に折目線を介して連設される補強把持片１５とからなり、把持片１４の裏面に補強把持片１５を接着する手段を採用した。
【発明の効果】
【０００９】
従って、本発明の請求項１記載の把持部付組立包装箱によれば、一枚の適宜シート材から比較的簡単に組立てられ、把持し易く、全体の強度、剛性が高く、耐久性に優れ、収納物を確実に保護でき、蓋構成部Ｂが本体構成部Ａの上部開放部分を確実に施蓋でき、外観上の体裁も優れたものとなる。
しかも、構成が簡素で、組立てが容易で、取扱い易く、収納物を収納し易く、量産に適し、製造コストを低減できる把持部付組立包装箱となる。
【００１０】
特に、本体構成部Ａの右側板３及び左側板４は、その折返片部２６、３２が正面板１や背面板２の内表面に接近するように折返されることで、その右側基片部２５及び左側基片部３１が、正面板１と背面板２の左右側端縁を直線的に結ぶような面より箱の中心がわに寄った位置に配されるよう構成し、蓋構成部Ｂの右蓋板１２及び左蓋板１３は、その折返片部２８、３４が前蓋板１０や後蓋板１１の内表面に接近するように折返されることで、その右蓋基片部２７及び左蓋基片部３３が、前蓋板１０と後蓋板１１の左右側端縁を直線的に結ぶような面より箱の中心がわに寄った位置に配されるよう構成したので、かなりの外力が加えられた場合でも、潰れたり、変形したりし難くなり、箱全体の強度や剛性が高くなり、箱内の収納物を確実に保護できるようになる。
【００１１】
また、本発明の請求項２記載の把持部付組立包装箱によれば、本体構成部Ａの上部開放部分を蓋構成部Ｂで簡単に且つ確実に施蓋できるようになる。
特に、蓋構成部Ｂによる施蓋状態は、差込片１７と係止片１６によってより確実に維持できるようになる。
【００１２】
更に、本発明の請求項３記載の把持部付組立包装箱によれば、把持部Ｃ自身の強度や耐久性が増すようになる。
特に、把持部Ｃは、蓋構成部Ｂの前蓋板１０或いは後蓋板１１のどちらか一方に折目線を介して連設されるようになるため、使用時は上方に突出状態となる把持部Ｃ自体を、蓋構成部Ｂの外表面に沿うように曲げ易くなり、箱全体がよりコンパクトとなるため、効率良く箱詰めできるようになる。
【発明を実施するための最良の形態】
【００１３】
以下、本発明を図示例に基づいて説明すると、次の通りである。
本発明は、一枚の適宜シート材（例えば、紙材や、合成樹脂材や、これらの複合材等が利用される。また、これらを部分的に貼り合せたものであっても良い。）から構成されると共に、その折曲げ（一部糊付けを含む）によって、比較的簡単に組立てられるように構成されたものであって、しかも、全体の強度、剛性が高く、外力等にも十分耐えられるような耐久性を備え、また、その外観上の体裁も優れたものとなるよう開発された把持部付組立包装箱である。
【００１４】
そして、この把持部付組立包装箱は、正面板１、背面板２、左右側板３、４、底板を備えた上部が開放された本体構成部Ａと、この本体構成部Ａの周壁上端部分に折目線を介して夫々連設される前蓋板１０、後蓋板１１、左右蓋板１２、１３を備えると共に、本体構成部Ａの上部開放部分を施蓋可能な蓋構成部Ｂと、この蓋構成部Ｂに折目線を介して連設される把持部Ｃとからなっている。
【００１５】
更に、本体構成部Ａの右側板３及び左側板４には、その中央部分に配される右側基片部２５及び左側基片部３１と、この右側基片部２５及び左側基片部３１の左右側部に折目線を介して配される折返片部２６、３２とが形成してある。
【００１６】
また、蓋構成部Ｂの前蓋板１０及び後蓋板１１には、その中央部分に配される前蓋基片部２０及び後蓋基片部２２と、この前蓋基片部２０及び後蓋基片部２２の左右側部に折目線を介して配される折込片部２１、２３とが形成してある。
しかも、蓋構成部Ｂの右蓋板１２及び左蓋板１３には、その中央部分に配される右蓋基片部２７及び左蓋基片部３３と、この右蓋基片部２７及び左蓋基片部３３の左右側部に折目線を介して配される折返片部２８、３４と、この折返片部２８、３４の左右側部に折目線を介して連設されると共に、前記前蓋基片部２０の折込片部２１及び後蓋基片部２２の折込片部２３に折目線を介して連設される折込片部２９、３５とが形成してある。
【００１７】
それから、本体構成部Ａの右側板３及び左側板４は、その折返片部２６、３２が正面板１や背面板２の内表面に接近するように折返されることで、その右側基片部２５及び左側基片部３１が、正面板１と背面板２の左右側端縁を直線的に結ぶような面より箱の中心がわに寄った位置に配されるよう構成してある。
加えて、蓋構成部Ｂの右蓋板１２及び左蓋板１３は、その折返片部２８、３４が前蓋板１０や後蓋板１１の内表面に接近するように折返されることで、その右蓋基片部２７及び左蓋基片部３３が、前蓋板１０と後蓋板１１の左右側端縁を直線的に結ぶような面より箱の中心がわに寄った位置に配されるよう構成してある。
【００１８】
また、蓋構成部Ｂには、後蓋板１１の後蓋基片部２２（或いは前蓋板１０の前蓋基片部２０）の先端縁に折目線を介して連設される差込片１７と、前蓋板１０の前蓋基片部２０（或いは後蓋板１１の後蓋基片部２２）の先端縁に折目線を介して連設される係止片１６とを設けてある。
更に、前記差込片１７は、前蓋板１０とこの前蓋板１０の内表面に接近するように折返される折込片部２１の間に（或いは後蓋板１１とこの後蓋板１１の内表面に接近するように折返される折込片部２３の間に）差込み可能となるように形成されている。
そして、前記係止片１６は、その係止突片３６が、後蓋基片部２２（或いは前蓋基片部２０）に穿設した差込孔３７に差込係止自在となるよう形成されて、差込片１７の差込み状態を維持できるよう構成されている。
【００１９】
前記把持部Ｃは、蓋構成部Ｂの前蓋板１０（或いは後蓋板１１）に折目線を介して連設される把持片１４と、この把持片１４に折目線を介して連設される補強把持片１５とからなり、把持片１４の裏面に補強把持片１５を接着して構成されている。
【００２０】
尚、前記本体構成部Ａの底板は、前底片５と、後底片６と、右底片７と、左底片８とからなる所謂ロックボトム状に構成されている。
【実施例１】
【００２１】
図１乃至図４に示す把持部付組立包装箱は、本発明の一実施例を示すもので、本体構成部Ａは、略矩形状の正面板１と、この正面板１の右側縁に折目線を介して連設される略矩形状の右側板３と、正面板１の左側縁に折目線を介して連設される略矩形状の左側板４と、この左側板４の後端縁に折目線を介して連設される略矩形状の背面板２と、正面板１の下端縁に折目線を介して連設される前底片５と、右側板３の下端縁に折目線を介して連設される右底片７と、左側板４の下端縁に折目線を介して連設される左底片８と、背面板２の下端縁に折目線を介して連設される後底片６と、右側板３の後端縁に折目線を介して連設されると共に、背面板２の右側端縁部分に接着される略細長台形状の糊代片９とによって、上部が開放された略有底矩形筒状に構成されている。
【００２２】
更に、本体構成部Ａの右側板３は、その中央部分に配される略釣鐘状の右側基片部２５と、この右側基片部２５の左右側部夫々に折目線を介して配される略細長三角形状の折返片部２６とが形成してあり、右側基片部２５の下端縁部分には、下方に向って湾出するような円弧状の折目線が設けられ、右側基片部２５の上端縁部分には、上方に向って湾出するような円弧状の折目線が設けられている。
【００２３】
また、本体構成部Ａの左側板４も前記右側板３と同様に、その中央部分に配される略釣鐘状の左側基片部３１と、この左側基片部３１の左右側部夫々に折目線を介して配される略細長三角形状の折返片部３２とが形成してあり、左側基片部３１の下端縁部分には、下方に向って湾出するような円弧状の折目線が設けられ、左側基片部３１の上端縁部分には、上方に向って湾出するような円弧状の折目線が設けられている。
【００２４】
そして、前記右側板３及び左側板４は、その折返片部２６、３２が正面板１や背面板２の内表面に接近するように折返されることで、その右側基片部２５及び左側基片部３１が、正面板１と背面板２の左右側端縁を直線的に結ぶような面より箱の中心がわに寄った位置に配される（図３参照）と共に、上方に行くに従って漸次その幅員が小さくなるように（図２参照）構成してある。
【００２５】
蓋構成部Ｂは、正面板１の上端縁に折目線を介して連設される略矩形状の前蓋板１０と、この前蓋板１０の右側縁に折目線を介して連設されると共に、右側板３の上端縁に折目線を介して連設される略矩形状の右蓋板１２と、前蓋板１０の左側縁に折目線を介して連設されると共に、左側板４の上端縁に折目線を介して連設される略矩形状の左蓋板１３と、背面板２の上端縁に折目線を介して連設されると共に、左蓋板１３の後端縁に折目線を介して連設される略矩形状の後蓋板１１とによって、略矩形筒状に構成されている。
【００２６】
更に、蓋構成部Ｂの前蓋板１０は、その中央部分に配される略台形状の前蓋基片部２０と、この前蓋基片部２０の左右側部夫々に折目線を介して配される略細長三角形状の折込片部２１とが形成してある。
【００２７】
また、蓋構成部Ｂの後蓋板１１も前記前蓋板１０と同様に、その中央部分に配される略台形状の後蓋基片部２２と、この後蓋基片部２２の左右側部夫々に折目線を介して配される略細長三角形状の折込片部２３とが形成してある。
【００２８】
しかも、前記蓋構成部Ｂの右蓋板１２は、その中央部分に配される略三角形状の右蓋基片部２７と、この右蓋基片部２７の左右側部（左右斜辺部）に夫々折目線を介して配される略平行四辺形状の折返片部２８と、この折返片部２８の左右側部に夫々折目線を介して連設される略三角形状の折込片部２９とが形成してある。尚、前方の折込片部２９は、前記前蓋板１０の折込片部２１に折目線を介して連設され、後方の折込片部２９には、折目線を介して略三角形状の折込片３０が連設されている。
【００２９】
また、蓋構成部Ｂの左蓋板１３も前記右蓋板１２と同様に、その中央部分に配される略三角形状の左蓋基片部３３と、この左蓋基片部３３の左右側部（左右斜辺部）に夫々折目線を介して配される略平行四辺形状の折返片部３４と、この折返片部３４の左右側部に夫々折目線を介して連設される略三角形状の折込片部３５とが形成してある。尚、前方の折込片部３５は、前記前蓋板１０の折込片部２１に折目線を介して連設され、後方の折込片部３５は、前記後蓋板１１の折込片部２３に折目線を介して連設されている。
【００３０】
そして、前記前蓋板１０及び後蓋板１１は、その折込片部２１、２３が前蓋板１０や後蓋板１１の内表面に接近するように折返される。
一方、前記右蓋板１２及び左蓋板１３は、その折込片部２９、３５が前蓋板１０や後蓋板１１の内表面に接近するように折返され、更に、その折返片部２８、３４も前蓋板１０や後蓋板１１の内表面に接近するように折返されることで、その右蓋基片部２７及び左蓋基片部３３が、前蓋板１０の前蓋基片部２０と後蓋板１１の後蓋基片部２２の左右側端縁を直線的に結ぶような面より箱の中心がわに寄った位置に配される（図３参照）と共に、上方に行くに従って漸次その幅員が小さくなるように（図２参照）構成してある。
すなわち、前蓋基片部２０や後蓋基片部２２と、折込片部２１、２３と、折込片部２９、３５と、折返片部２８、３４とがが相互に接近するような略重なった状態となるように構成されている。
尚、前記折込片３０は、後蓋板１１の折込片部２３の裏面に接着されるようになる。
【００３１】
加えて、後蓋板１１の後蓋基片部２２（或いは前蓋板１０の前蓋基片部２０）の上端縁（先端縁）には、折目線を介して略台形状の差込片１７が連設され、前蓋板１０の前蓋基片部２０（或いは後蓋板１１の後蓋基片部２２）の上端縁（先端縁）には、折目線を介して略矩形状の係止片１６が連設されている。
そして、前記差込片１７は、前蓋板１０とこの前蓋板１０の内表面に接近するように折返される折込片部２１の間（或いは＜後蓋板１１とこの後蓋板１１の内表面に接近するように折返される折込片部２３の間）に、差込み可能となるように形成されている。
また、前記係止片１６は、その係止突片３６が、後蓋基片部２２（或いは前蓋基片部２０）に穿設した差込孔３７に差込係止自在となるよう形成されて、差込片１７の差込み状態を維持できるよう構成されている。
【００３２】
把持部Ｃは、前蓋板１０の前蓋基片部２０（或いは後蓋板１１の後蓋基片部２２）の上端縁に折目線を介して連設される略逆偏平Ｕ字状の把持片１４と、この把持片１４の上端縁に折目線を介して連設される略逆偏平Ｕ字状の補強把持片１５とからなり、把持片１４の裏面に補強把持片１５を接着して構成されている。
尚、この把持部Ｃは、蓋構成部Ｂの前蓋板１０（或いは後蓋板１１）に折目線を介して連設されており、その使用時は手指で把持し易いように上方に突出状態とし、その箱詰め時（保管時）は、箱全体がよりコンパクトとなるように把持部Ｃ自体を蓋構成部Ｂの外表面に沿うように曲げておき、効率の良い箱詰めが可能となるように構成されている。
【００３３】
ところで、把持部付組立包装箱の具体的構成、形状、寸法、材質、本体構成部Ａの具体的構成、形状、寸法、材質、蓋構成部Ｂの具体的構成、形状、寸法、材質、把持部Ｃ具体的構成、形状、寸法、材質、配設位置、正面板１の具体的構成、形状、寸法、材質、背面板２の具体的構成、形状、寸法、材質、右側板３の具体的構成、形状、寸法、材質、左側板４の具体的構成、形状、寸法、材質、底板の具体的構成、形状、寸法、材質、前底片５、後底片６、右底片７、左底片８夫々の具体的構成、形状、寸法、材質、糊代片９の具体的構成、形状、寸法、材質、前蓋板１０の具体的構成、形状、寸法、材質、後蓋板１１の具体的構成、形状、寸法、材質、右蓋板１２の具体的構成、形状、寸法、材質、左蓋板１３の具体的構成、形状、寸法、材質、把持片１４の具体的構成、形状、寸法、材質、補強把持片１５の具体的構成、形状、寸法、材質、係止片１６の具体的構成、形状、寸法、材質、差込片１７の具体的構成、形状、寸法、材質、前蓋基片部２０の具体的形状、寸法、折込片部２１の具体的形状、寸法、後蓋基片部２２の具体的形状、寸法、折込片部２３の具体的形状、寸法、右側基片部２５の具体的形状、寸法、折返片部２６の具体的形状、寸法、右蓋基片部２７の具体的形状、寸法、折返片部２８の具体的形状、寸法、折込片部２９の具体的形状、寸法、折込片３０の具体的形状、寸法、左側基片部３１の具体的形状、寸法、折返片部３２の具体的形状、寸法、左蓋基片部３３の具体的形状、寸法、折返片部３４の具体的形状、寸法、折込片部３５の具体的形状、寸法、係止突片３６の具体的構成、形状、寸法、配設位置、数、差込孔３７の具体的構成、形状、寸法、配設位置、数等は図示例のもの等に限定されることなく適宜自由に設定、変更できるものである。
【図面の簡単な説明】
【００３４】
【図１】本発明の把持部付組立包装箱を例示する斜視図である。
【図２】本発明の把持部付組立包装箱を例示する縦断側面図である。
【図３】本発明の把持部付組立包装箱を例示する縦断背面図である。
【図４】本発明の把持部付組立包装箱を例示する展開図である。
【符号の説明】
【００３５】
Ａ      本体構成部                    Ｂ      蓋構成部
Ｃ      把持部
１      正面板                        ２      背面板
３      右側板                        ４      左側板
５      前底片                        ６      後底片
７      右底片                        ８      左底片
９      糊代片                        １０    前蓋板
１１    後蓋板                        １２    右蓋板
１３    左蓋板                        １４    把持片
１５    補強把持片                    １６    係止片
１７    差込片
２０    前蓋基片部                    ２１    折込片部
２２    後蓋基片部                    ２３    折込片部
２５    右側基片部                    ２６    折返片部
２７    右蓋基片部                    ２８    折返片部
２９    折込片部                      ３０    折込片
３１    左側基片部                    ３２    折返片部
３３    左蓋基片部                    ３４    折返片部
３５    折込片部
３６    係止突片                      ３７    差込孔
【図１】
2005119686.tif 000003
【図２】
2005119686.tif 000004
【図３】
2005119686.tif 000005
【図４】
2005119686.tif 000006